(57)【要約】【課題】車両の現在位置が一般道路上にあるか高速道路上にあるかを判定する機会を増加させることによって、車両が走行している道路を正確に認識する可能性を向上させることができること。【解決手段】カメラ８０によって撮影された車両周辺の画像に、車両が一般道路を走行していることを特定するための一般道路特定画像、または車両が高速道路を走行していることを特定するための高速道路特定画像が含まれているか否かに基づいて、車両の現在位置が一般道路上にあるか高速道路上にあるかを判定することができる。このようにすることにより、車両の現在位置が一般道路上にあるか高速道路上にあるかを判定する機会を増加させることができる。この結果、車両が走行している道路を正確に認識する可能性を向上させることができる。【選択図】              図１
2006317286.tif 000002
【特許請求の範囲】
【請求項１】
車両の現在位置を検出する現在位置検出手段と、
少なくとも高速道路と一般道路とを区分けするための道路種別情報を含む道路地図データを記憶する道路地図データ記憶手段と、
車両周辺の状況を撮影する撮影手段と、
車両が一般道路を走行していることを特定するための一般道路特定画像を記憶する第１の記憶手段と、
車両が高速道路を走行していることを特定するための高速道路特定画像を記憶する第２の記憶手段と、
前記撮影された車両周辺の画像に前記一般道路特定画像または前記高速道路特定画像が含まれるか否かに基づいて、車両の現在位置が一般道路上にあるか高速道路上にあるかを判定する判定手段と、
前記判定手段の判定結果に応じて、前記車両が走行している道路を認識する走行道路認識手段とを備えることを特徴とする車載ナビゲーション装置。
【請求項２】
前記判定手段は、
前記撮影された車両周辺の画像内におけるオブジェクトと、前記一般道路特定画像と前記高速道路特定画像とのいずれか一方とがパターンマッチングするか否かを判定するパターンマッチング判定手段を有し、
前記パターンマッチング判定手段の判定結果に基づいて、車両の現在位置が一般道路上にあるか高速道路上にあるかを判定することを特徴とする請求項１に記載の車載ナビゲーション装置。
【請求項３】
前記一般道路特定画像及び前記高速道路特定画像は、一般道路及び高速道路特有の特徴物を含む画像を撮影し、その撮影した画像に対して、ノイズ除去処理、二値化処理、及びエッジ検出処理の少なくともいずれか１つの処理を施すことによって生成されることを特徴とする請求項１または請求項２に記載の車載ナビゲーション装置。
【請求項４】
前記第１の記憶手段は、前記一般道路特定画像として、信号機、一般道路の路面に記された記号及び文字である一般道路専用標示、一般道路専用標示板、及び光ビーコンの画像を記憶することを特徴とする請求項１乃至請求項３のいずれかに記載の車載ナビゲーション装置。
【請求項５】
前記第２の記憶手段は、前記高速道路特定画像として、ＥＴＣゲート、料金所、高速道路の路面に記された記号及び文字である高速道路専用標示、高速道路専用標示板、及び電波ビーコンの画像を記憶することを特徴とする請求項１乃至請求項４のいずれかに記載の車載ナビゲーション装置。
【請求項６】
表示部と、
前記表示部において、前記道路地図データに基づく道路地図と前記車両の現在位置とを表示する表示制御手段とを備え、
前記表示制御手段は、前記判定手段の判定結果が、車両の現在位置が表示されている道路の道路種別とが異なる場合には、一般道路と高速道路とが重なっている位置に車両の現在位置が表示されている場合を除いて、前記判定手段が判定した道路種別の道路上に、車両の現在位置を変更して表示することを特徴とする請求項１乃至請求項５のいずれかに記載の車載ナビゲーション装置。
【請求項７】
前記道路地図データを用いて車両を目的地に案内するための案内経路を探索する案内経路探索手段と、
前記案内経路探索手段によって探索された案内経路に従って経路案内を行なう経路案内手段と、
前記経路案内手段による経路案内中に、前記表示制御手段によって車両の現在位置が変更される場合に、その変更後の現在位置からの案内経路を探索するように前記案内経路探索手段に対して指示する指示手段とを備え、
前記表示制御手段は、前記変更後の現在位置と、前記指示手段の指示によって探索された案内経路とを前記表示部に表示することを特徴とする請求項６に記載の車載ナビゲーション装置。
【発明の詳細な説明】
【技術分野】
【０００１】
本発明は、車載ナビゲーション装置に関する。
【背景技術】
【０００２】
従来、ＣＣＤカメラ等によって得られる車両周辺の画像情報を用いることにより、自車の現在位置をより高精度に検出し修正することのできるマップマッチング機能を有する車載ナビゲーション装置が提案されている（例えば、特許文献１参照。）。この特許文献１に開示されている車載ナビゲーション装置によれば、例えば、当該装置が車両の周辺映像を収集し、周辺映像から交差点を特徴付ける信号機や一時停止線等が識別できた場合には、当該装置は自車の現在位置が一般道路上にあると判定することが可能であった。
【特許文献１】特開平０９−１５２３４８号公報
【発明の開示】
【発明が解決しようとする課題】
【０００３】
しかしながら、上述した従来の装置では、例えば、交差点を特徴付ける信号機や一時停止線等を有さない一般道路と高速道路とが近接している場合に、自車が当該一般道路を走行中にディスプレイ上に表示された自車マークが高速道路上に誤表示されることが考えられる。この場合、自車マークが表示されている高速道路に近接している一般道路には、交差点を特徴付ける信号機や一時停止線等を有さないため、ディスプレイ上に表示された自車マークが高速道路上に誤表示された状態が継続してしまう。このため、従来の装置は自車が走行している道路が高速道路であると誤認識してしまうことがあった。すなわち、従来の装置は自車が走行している道路を正確に認識することができないことがあった。
【０００４】
このような問題は、車両の周辺映像から交差点を特徴付ける信号機や一時停止線等が識別できた場合に限り、自車の現在位置が一般道路上にあると判定することしかできなかったために起こりえた。換言すると、車両の現在位置が一般道路上にあるか高速道路上にあるかを判定する機会が少なかったため、このような問題が起こりえた。
【０００５】
本発明は、上述した点に鑑みてなされたもので、車両の現在位置が一般道路上にあるか高速道路上にあるかを判定する機会を増加させることによって、車両が走行している道路を正確に認識する可能性を向上させることが可能な車載ナビゲーション装置を提供することを目的とする。
【課題を解決するための手段】
【０００６】
上記目的を達成するために、請求項１に記載の車載ナビゲーション装置は、
車両の現在位置を検出する現在位置検出手段と、
少なくとも高速道路と一般道路とを区分けするための道路種別情報を含む道路地図データを記憶する道路地図データ記憶手段と、
車両周辺の状況を撮影する撮影手段と、
車両が一般道路を走行していることを特定するための一般道路特定画像を記憶する第１の記憶手段と、
車両が高速道路を走行していることを特定するための高速道路特定画像を記憶する第２の記憶手段と、
前記撮影された車両周辺の画像に前記一般道路特定画像または前記高速道路特定画像が含まれるか否かに基づいて、車両の現在位置が一般道路上にあるか高速道路上にあるかを判定する判定手段と、
前記判定手段の判定結果に応じて、前記車両が走行している道路を認識する走行道路認識手段とを備えることを特徴とする。
【０００７】
上述したように、請求項１に記載の車載ナビゲーション装置では、撮影された車両周辺の画像に、車両が一般道路を走行していることを特定するための一般道路特定画像、または車両が高速道路を走行していることを特定するための高速道路特定画像が含まれているか否かに基づいて、車両の現在位置が一般道路上にあるか高速道路上にあるかを判定する。このようにすることにより、車両の現在位置が一般道路上にあるか高速道路上にあるかを判定する機会を増加させることができる。この結果、車両が走行している道路を正確に認識する可能性を向上させることができる。
【０００８】
請求項２に記載したように、判定手段は、撮影された車両周辺の画像内におけるオブジェクトと、一般道路特定画像と高速道路特定画像とのいずれか一方とがパターンマッチングするか否かを判定するパターンマッチング判定手段を有し、パターンマッチング判定手段の判定結果に基づいて、車両の現在位置が一般道路上にあるか高速道路上にあるかを判定することが好ましい。このようにすることにより、車両の現在位置が一般道路上にあるか高速道路上にあるかを判定することができる。
【０００９】
請求項３に記載したように、一般道路特定画像及び高速道路特定画像は、一般道路及び高速道路特有の特徴物を含む画像を撮影し、その撮影した画像に対して、ノイズ除去処理、二値化処理、及びエッジ検出処理の少なくともいずれか１つの処理を施すことによって生成されることが好ましい。このようにすることにより、一般道路特定画像及び高速道路特定画像が生成される。
【００１０】
請求項４に記載したように、第１の記憶手段は、一般道路特定画像として、信号機、一般道路の路面に記された記号及び文字である一般道路専用標示、一般道路専用標示板、及び光ビーコンの画像を記憶することが好ましい。信号機、一般道路の路面に記された記号及び文字である一般道路専用標示、一般道路専用標示板、及び光ビーコンは、一般道路に関する特有なものであるため、これら信号機等の画像と、撮影された車両周辺の画像内におけるオブジェクトとがパターンマッチングする場合、車両の現在位置が一般道路上にあると考えることができる。
【００１１】
請求項５に記載したように、第２の記憶手段は、高速道路特定画像として、ＥＴＣゲート、料金所、高速道路の路面に記された記号及び文字である高速道路専用標示、高速道路専用標示板、及び電波ビーコンの画像を記憶することが好ましい。ＥＴＣゲート、料金所、高速道路の路面に記された記号及び文字である高速道路専用標示、高速道路専用標示板、及び電波ビーコンは、高速道路に関する特有なものであるため、これらＥＴＣゲート等の画像と、撮影された車両周辺の画像内におけるオブジェクトとがパターンマッチングする場合、車両の現在位置が高速道路上にあると考えることができる。
【００１２】
請求項６に記載したように、表示部と、表示部において、道路地図データに基づく道路地図と車両の現在位置とを表示する表示制御手段とを備え、表示制御手段は、判定手段の判定結果が、車両の現在位置が表示されている道路の道路種別とが異なる場合には、一般道路と高速道路とが重なっている位置に車両の現在位置が表示されている場合を除いて、判定手段が判定した道路種別の道路上に、車両の現在位置を変更して表示することが好ましい。これにより、高速道路と一般道路とが近接している場合に、車両の現在位置が誤って表示されているときに、運転者が操作をすることなく、自動的に車両の現在位置を正確に設定することができる。
【００１３】
請求項７に記載したように、道路地図データを用いて車両を目的地に案内するための案内経路を探索する案内経路探索手段と、案内経路探索手段によって探索された案内経路に従って経路案内を行なう経路案内手段と、経路案内手段による経路案内中に、表示制御手段によって車両の現在位置が変更される場合に、その変更後の現在位置からの案内経路を探索するように案内経路探索手段に対して指示する指示手段とを備え、表示制御手段は、変更後の現在位置と、指示手段の指示によって探索された案内経路とを表示部に表示することもできる。これにより、経路案内中に、誤って車両の現在位置が表示されているときに、運転者が操作をすることなく、自動的に車両の現在位置を正確に設定するとともに、その正確な現在位置からの案内経路を探索できる。
【発明を実施するための最良の形態】
【００１４】
以下、本発明の好ましい実施形態について図面を参照して説明する。図１は、本実施形態による車載ナビゲーション装置１００の概略構成を示すブロック図である。以下、本実施形態による車載ナビゲーション装置について詳細に説明する。
【００１５】
図１に示すように、車載ナビゲーション装置１００は、位置検出器１０、デジタル道路地図データベース２０、コンピュータ３０、表示部４０、操作スイッチ群５０、音声出力部６０、音声入力部７０、カメラ８０、第１の記憶装置９０、及び第２の記憶装置９１を備えている。
【００１６】
コンピュータ３０は、内部には周知のＣＰＵ、ＲＯＭ、ＲＡＭ、Ｉ／Ｏ及びこれらの構成を接続するバスラインを備えている。ＲＯＭには、コンピュータ３０が実行するためのプログラムが書き込まれており、このプログラムに従ってＣＰＵ等が所定の演算処理を実行する。
【００１７】
位置検出器１０は、衛星からの電波に基づいて車両の位置を測定するグローバルポジショニングシステム（ＧＰＳ）のためのＧＰＳ受信機１１、車両の絶対方位を検出するための地磁気センサ１２、車両の相対方位を検出するためのステアリングセンサ１３を有している。さらに、位置検出器１０は、車両の走行速度から走行距離を検出するために車速センサ１４を備えている。
【００１８】
このように、位置検出器１０は、電波航法による車両位置測定のためにＧＰＳ受信機１１を有するとともに、自立航法による車両位置推定のために地磁気センサ１２、ステアリングセンサ１３及び車速センサ１４を有している。また、電波航法としては、ＧＰＳに限らず、例えばＶＩＣＳの光ビーコンを利用しても良い。また、自立航法における車両の相対方位を検出するために、ステアリングセンサ１３に代えて、ジャイロセンサや車両の左右輪に設けられた車輪速センサを用いても良い。
【００１９】
デジタル道路地図データベース２０は、道路データ、背景データ、文字データ及び施設データなどを含むデジタル地図データをコンピュータ３０に入力するための装置である。デジタル道路地図データベース２０は、デジタル地図データを記憶する情報記憶媒体２１を有し、情報記憶媒体２１としては、そのデータ量からＣＤ−ＲＯＭまたはＤＶＤ−ＲＯＭを用いるのが一般的であるが、メモリカード、ハードディスク等を用いてもよい。
【００２０】
ここで、道路データの構成について説明する。道路データは、道路毎に固有の番号を付したリンクＩＤ、リンク座標データ、ノード座標データ、高速道路や一般道路等の道路種別を示す道路種別データ、道路幅員データ等の各データから構成されている。道路データにおけるリンクとは、地図上の各道路を、交差点、分岐点などを示すノードにより複数に分割し、そして２つのノード間をリンクとして規定したものである。そして、リンク座標データには、このリンクの始端と終端の座標が記述される。なお、リンクの途中にノードが含まれる場合には、ノード座標データにノード座標が記述される。この道路データは、地図を表示する以外に、マップマッチング処理を行なう際の道路の形状を与えるために用いられたり、目的地までの案内経路を検索する際に用いられる。
【００２１】
背景データは、道路地図を表示部４０に表示する際に、道路以外の表示対象となる施設形状、自然地形等を表示するためのデータである。文字データは、地名、施設名、道路名等を道路地図上に表示するためのものであり、表示位置に対応する地図上の座標を関連付けたデータとして構成している。
【００２２】
表示部４０は、例えば、液晶ディスプレイによって構成され、表示部４０の画面には車両の現在位置に対応する自車位置マーク、及び、デジタル道路地図データベース２０より入力された地図データによって生成される車両周辺の道路地図を表示することができる。また、目的地が設定された場合、道路地図上には、現在位置から目的地までの案内経路が重ねて表示される。
【００２３】
操作スイッチ群５０は、例えば、表示部４０と一体になったタッチパネルスイッチもしくは表示部４０の周辺に設けられるメカニカルなスイッチ等からなり、各種入力に使用される。
【００２４】
音声出力部６０はスピーカ等からなり、経路案内が行なわれている場合に、案内音声を出力したり、音声認識時に、入力音声に関するガイダンスを出力したりするものである。また、音声入力部７０は、マイク等からなり、ユーザによって発せられた音声を取り込んで、コンピュータ３０に入力する。コンピュータ３０は、入力された音声の認識処理を行い、その認識結果に基づいて、各種の制御を実行する。
【００２５】
カメラ８０は、例えば、助手席側のドアのドアミラー付近に設けられたＣＣＤカメラであり、車両周辺の状況を撮影するためのものである。また、カメラ８０は、車両の夜間走行時における車両周辺の状況を撮影するために赤外線照射器を有する。
【００２６】
第１の記憶装置９０には、一般道路特定画像が記憶されている。この一般道路特定画像は、一般道路特有の特徴物（例えば、信号機、一般道路専用標識、一般道路専用標示、及び光ビーコンなど）を含む画像を撮影し、その撮影した画像に対して、エッジ検出処理を施すことによって生成されたものである。エッジ検出処理とは、画像の明るさの変化によりオブジェクトの輪郭を算出する処理のことである。また、ノイズ除去処理、及び二値化処理の少なくともいずれか１つの処理を施すことによっても一般道路特定画像が生成される。このようにすることにより、一般道路特定画像が生成される。
【００２７】
第２の記憶装置９１には、高速道路特定画像が記憶されている。この高速道路特定画像は、高速道路特有の特徴物（例えば、ＥＴＣゲート、料金所、高速道路専用標識、高速道路専用標示、及び電波ビーコンなど）を含む画像を撮影し、その撮影した画像に対して、エッジ検出処理を施すことによって生成されたものである。エッジ検出処理とは、画像の明るさの変化によりオブジェクトの輪郭を算出する処理のことである。また、ノイズ除去処理、及び二値化処理の少なくともいずれか１つの処理を施すことによっても高速道路特定画像が生成される。このようにすることにより、高速道路特定画像が生成される。
【００２８】
また、本実施形態の車載ナビゲーション装置１００は、車両の現在位置の周囲において、高速道路と一般道路とが近接している場合に、カメラ８０が車両周辺の状況を撮影し、この撮影された車両周辺の画像内におけるオブジェクトと、第１の記憶装置９０に記憶されている一般道路特定画像と第２の記憶装置９１に記憶されている高速道路特定画像とのいずれか一方とがパターンマッチングするか否かに基づいて、車両の現在位置が一般道路上にあるか高速道路上にあるかを判定する現在位置判定機能も備えている。
【００２９】
さらに、本実施形態の車載ナビゲーション装置１００は、操作スイッチ群５０もしくは音声認識によって目的地の位置が入力されると、現在位置からその目的地までの最適な経路を自動的に選択して案内経路を形成し表示する、いわゆる経路案内機能も備えている。このような自動的に最適な経路を設定する手法は、周知のダイクストラ法等の手法が知られている。また、ユーザによって入力された、例えば、住所、施設名称、電話番号等から施設等の位置を検索する検索機能も備えている。
【００３０】
これらの機能は、主にコンピュータ３０によって各種の演算処理がなされることによって実行される。すなわち、コンピュータ３０は目的地が入力されるとデジタル道路地図データベース２０の地図データを用いて経路を計算し、その経路を表示する。この他、コンピュータ３０は、車両の位置を示す自車位置マークとその周辺の道路地図を表示部４０に表示させたり、道路地図の縮尺を変更したりする。
【００３１】
次に、本実施形態における現在位置変更処理について、図２及び図３のフローチャートを用いて詳細に説明する。なお、図２は、現在位置変更処理のメインルーチンを示すフローチャートであり、図３は、現在位置判定処理のルーチンを示すフローチャートである。
【００３２】
まず、図２のステップＳ１０では、車両の現在位置を検出する。このとき、ＧＰＳ受信機１１による位置データは、上述の道路データの座標データ（緯度と経度）と同じ形態で取得される。また、地磁気センサ１２、ステアリングセンサ１３、車速センサ１４によって自車両の進行方向及び走行距離に関するデータが取得され、過去に算出、もしくは確定された車両位置を基準として、現在位置の座標データの算出を行なう（自立航法による座標データの算出）。なお、現在位置は、基本的には、自立航法により算出された座標データに基づいて求められる。ただし、ＧＰＳ受信機１１による位置データが取得されている場合には、両者を比較し、その差が所定距離以上である場合には、現在位置として、ＧＰＳ受信機１１による位置データを採用する。
【００３３】
ステップＳ２０では、車両の現在位置を含む、周辺地図の地図データがデジタル道路地図データベース２０から読み込まれ、表示部４０に表示される。ステップＳ３０では、マップマッチング処理が行なわれる。例えば、ステップＳ１０にて算出した現在位置と所定距離以内の道路、もしくは既に道路上にマッチングされている場合には、そのマッチング道路に接続された道路を車両が走行する可能性のある道路として特定する。そして、ステップＳ１０にて過去に算出された複数個の現在位置と最新の現在位置とを連結して、走行軌跡が算出される。その走行軌跡の形状と、車両が走行する可能性のある道路の形状とを比較して、最も相関の高い道路を車両が走行している道路と推定する。これにより、ステップＳ１０において取得された現在位置を表示すべき道路が決定される。
【００３４】
なお、ステップＳ１０における現在位置の算出、及び上述した走行軌跡の算出は、ＧＰＳ受信機１１の位置データのみから行なっても良いし、自立航法の位置データのみから行なっても良い。
【００３５】
ステップＳ４０では、車両の現在位置の周囲において、高速道路と一般道路とが近接しているか否かを判定する。具体的には、例えば、高速道路と一般道路とが並走している場合である。近接していない場合には、処理が終了される。一方、近接している場合には、ステップＳ５０に進む。
【００３６】
ステップＳ５０では、現在位置判定処理が実行される。この現在位置判定処理を図３のフローチャートを用いて説明する。
【００３７】
図３のフローチャートにおいて、まずステップＳ２１０では、カメラ８０が車両周辺の状況を撮影し、この撮影された車両周辺の画像がコンピュータ３０に出力される。
【００３８】
ステップＳ２２０では、ステップＳ２１０にて撮影された車両周辺の画像内におけるオブジェクトと、第１の記憶装置９０に記憶されている一般道路特定画像とがパターンマッチングするか否かを判定する。具体的には、例えば、コンピュータ３０は、車両周辺の画像に対して、エッジ検出処理を施す。エッジ検出処理が施された車両周辺の画像内において、当該画像内のオブジェクトが特定される。この特定されたオブジェクトと、第１の記憶装置９０に記憶されている一般道路特定画像とが一致する又は相似であるか否かを判定する。一致する又は相似であると判定された場合、ステップＳ２３０に進む。ステップＳ２３０では、車両の現在位置は一般道路上にあると判定される。そして、コンピュータ３０は、車両が走行している道路は一般道路であると認識する。具体的には、例えば、コンピュータ３０は、車両が走行している道路の道路種別として、「一般道路」をコンピュータ３０のＲＡＭに記憶する。信号機、一般道路の路面に記された記号及び文字である一般道路専用標示、一般道路専用標示板、及び光ビーコンは、一般道路に関する特有なものであるため、これら信号機等の画像と、撮影された車両周辺の画像内におけるオブジェクトとがパターンマッチングする場合、車両の現在位置が一般道路上にあると考えることができる。
【００３９】
ステップＳ２２０において、一致しない又は相似でないと判定された場合、ステップＳ２４０に進む。ステップＳ２４０では、ステップＳ２２０と同様にして、ステップＳ２１０にてエッジ検出処理が施された車両周辺の画像内において、特定された当該画像内のオブジェクトと、第２の記憶装置９１に記憶されている高速道路特定画像とが一致する又は相似であるか否かを判定する。一致しない又は相似でないと判定された場合、ステップＳ４０に戻る。一方、一致する又は相似であると判定された場合、ステップＳ２５０に進む。ステップＳ２５０では、車両の現在位置は高速道路上にあると判定される。そして、コンピュータ３０は、車両が走行している道路は高速道路であると認識する。具体的には、例えば、コンピュータ３０は、車両が走行している道路の道路種別として、「高速道路」をコンピュータ３０のＲＡＭに記憶する。ＥＴＣゲート、料金所、高速道路の路面に記された記号及び文字である高速道路専用標示、高速道路専用標示板、及び電波ビーコンは、高速道路に関する特有なものであるため、これらＥＴＣゲート等の画像と、撮影された車両周辺の画像内におけるオブジェクトとがパターンマッチングする場合、車両の現在位置が高速道路上にあると考えることができる。
【００４０】
このように、現在位置判定処理を実行することにより、車両の現在位置が一般道路上にあるか高速道路上にあるかを判定することができる。
【００４１】
図２のフローチャートに戻り、ステップＳ６０に進む。ステップＳ６０では、道路種別が同一であるか否かを判定する。すなわち、ステップＳ３０おいて決定された現在位置を表示する道路の道路種別と、ステップＳ５０にて判定された現在位置が表示されるべき道路の道路種別とが異なるか否かを判定する。道路種別が同一であると判定された場合、ステップＳ１１０に進む。ステップＳ１１０では、経路案内中か否かを判定する。経路案内中ではないと判定された場合、処理が終了される。一方、経路案内中であると判定された場合、ステップＳ１２０に進む。ステップＳ１２０では、経路案内が継続される。
【００４２】
一方、ステップＳ６０において、道路種別が異なると判定された場合、ステップＳ６５に進む。ステップＳ６５では、道路地図上において、車両の現在位置の周囲において、高速道路と一般道路とが重なっているか否かを判定する。重なっていないと判定された場合、ステップＳ７０に進む。ステップＳ７０では、ステップＳ５０にて判定された結果に基づいて、現在位置が変更される。具体的には、例えば、表示部４０において、車両の現在位置が表示さている高速道路に対して、近接している道路種別の異なる一般道路上に車両の現在位置が変更される。これにより、高速道路と一般道路とが近接している場合に、車両の現在位置が誤って表示されているときに、運転者が操作をすることなく、自動的に車両の現在位置を正確に設定することができる。
【００４３】
ステップＳ６５において、重なっていると判定された場合、ステップＳ８０に進む。ステップＳ８０では、経路案内中か否かを判定する。経路案内中ではないと判定された場合、処理が終了される。一方、経路案内中であると判定された場合、ステップＳ９０に進む。
【００４４】
ステップＳ９０では、案内経路が再探索される。具体的には、例えば、ステップＳ７０にて変更された車両の現在位置が新たな開始点とされ、周知のダイクストラ法等の手法によって、この開始点から目的地までの最適な案内経路が探索される。これにより、経路案内中に、誤って車両の現在位置が表示されているときに、運転者が操作をすることなく、自動的に車両の現在位置を正確に設定するとともに、その正確な現在位置からの案内経路を探索できる。ステップＳ１００では、ステップＳ９０にて探索された案内経路に基づいて、経路案内が開始される。
【００４５】
以上、説明したように本実施形態によれば、カメラ８０によって撮影された車両周辺の画像に、車両が一般道路を走行していることを特定するための一般道路特定画像、または車両が高速道路を走行していることを特定するための高速道路特定画像が含まれているか否かに基づいて、車両の現在位置が一般道路上にあるか高速道路上にあるかを判定することができるようにした。このようにすることにより、車両の現在位置が一般道路上にあるか高速道路上にあるかを判定する機会を増加させることができる。この結果、車両が走行している道路を正確に認識する可能性を向上させることができる。
【図面の簡単な説明】
【００４６】
【図１】本実施形態による車載ナビゲーション装置１００の概略構成を示すブロック図である。
【図２】本実施形態における、現在位置変更処理のメインルーチンを示すフローチャートである。
【図３】本実施形態における、現在位置判定処理のルーチンを示すフローチャートである。
【符号の説明】
【００４７】
１０…位置検出器
１１…ＧＰＳ受信機
１２…地磁気センサ
１３…ステアリングセンサ
１４…車速センサ
２０…デジタル道路地図データベース
２１…情報記録媒体
３０…コンピュータ
４０…表示部
５０…操作スイッチ群
６０…音声出力部
７０…音声入力部
８０…カメラ
９０…第１の記憶装置
９１…第２の記憶装置
【図１】
2006317286.tif 000003
【図２】
2006317286.tif 000004
【図３】
2006317286.tif 000005